(57)【要約】【課題】良好な明るさを有し、解像度の悪化やモアレの発生がなく、しかもシンチレージョンの発生を緩和した、優れたスクリーンを提供する。【解決手段】スクリーン基板上の前面側に、凹形状で設計上半球面のマイクロレンズ４を複数配置してなるスクリーン１である。マイクロレンズ４（４ａ、４ｂ、４ｃ）は、主光線の方向に対応して定まるスクリーン基板上の第１方向に沿って配列されてレンズ列５を形成する。このレンズ列５において隣り合うマイクロレンズ４、４どうしが、異なるレンズ曲率半径で形成されている。【選択図】図１
2010151902.tif 000002
【特許請求の範囲】
【請求項１】
スクリーン基板上の前面側に、凹形状で設計上半球面のマイクロレンズを複数配置してなるスクリーンにおいて、
前記マイクロレンズは、主光線の方向に対応して定まる前記スクリーン基板上の第１方向に沿って配列されてレンズ列を形成するとともに、該レンズ列において隣り合うマイクロレンズどうしが、異なるレンズ曲率半径で形成されていることを特徴とするスクリーン。
【請求項２】
スクリーン基板上の前面側に、凸形状で設計上半球面のマイクロレンズを複数配置してなるスクリーンにおいて、
前記マイクロレンズは、主光線の方向に対応して定まる前記スクリーン基板上の第１方向に沿って配列されてレンズ列を形成するとともに、該レンズ列において隣り合うマイクロレンズどうしが、異なるレンズ曲率半径で形成されていることを特徴とするスクリーン。
【請求項３】
同一の前記レンズ列を構成するマイクロレンズの曲率半径の中心が、同一平面上に位置するよう設計されていること特徴とする請求項１又は２に記載のスクリーン。
【請求項４】
同一の前記レンズ列を構成するマイクロレンズは、異なるレンズ曲率半径で形成された少なくとも３種からなっていること特徴とする請求項１〜３のいずれか一項に記載のスクリーン。
【請求項５】
同一の前記レンズ列において、該レンズ列を構成する前記マイクロレンズは、該レンズ列の列方向に沿ってレンズ曲率半径の大きさの順に規則的に配置されていることをこと特徴とする請求項４記載のスクリーン。
【請求項６】
同一の前記レンズ列において、該レンズ列を構成する前記マイクロレンズのうちの隣り合う二つのマイクロレンズ対のレンズ曲率半径差は、該マイクロレンズ対に隣り合うマイクロレンズ対のレンズ曲率半径差と異なっていることを特徴とする請求項５記載のスクリーン。
【請求項７】
前記マイクロレンズは、前記スクリーン基板上の前記第１方向での中心線を対称線として、前記の規則的な配置が線対称になっていること特徴とする請求項５又は６に記載のスクリーン。
【請求項８】
前記レンズ列は、前記第１方向と交差する第２方向に複数並列されていることを特徴とする請求項１〜７のいずれか一項に記載のスクリーン。
【請求項９】
前記複数のレンズ列のうちの隣り合うレンズ列間では、前記第２方向において対応するマイクロレンズどうしが不規則に配列されるように、構成されていることを特徴とする請求項８記載のスクリーン。
【請求項１０】
前記マイクロレンズの少なくとも一部は、前記レンズ列内において隣り合うものどうしが一部重なって形成されていることを特徴とする請求項１〜９のいずれか一項に記載のスクリーン。
【請求項１１】
前記第１方向は主光線に対して略水平方向であり、前記レンズ列は、略水平方向に沿った円弧状の配列であることを特徴とする請求項１〜１０のいずれか一項に記載のスクリーン。
【請求項１２】
前記マイクロレンズは、光反射面と光吸収面とを有していることを特徴とする請求項１〜１１のいずれか一項に記載のスクリーン。
【発明の詳細な説明】
【技術分野】
【０００１】
本発明は、前方に配置されたプロジェクター等の投影装置からの光を反射して、投影画像を映し出すスクリーンに関する。
【背景技術】
【０００２】
下方からの斜め投射による投影画像を反射させることにより、この投影画像を観察可能にする反射スクリーンが知られている。このようなスクリーンとしては、従来、スクリーン基板上に同一形状の凸状のマイクロレンズ（単位形状部）を多数規則的に配置し、下側の表面部分にのみ反射面を形成することにより、上方からの外光を遮断して高コントラスト化したものが知られている（例えば、特許文献１参照）。
また、同様の機能を有するスクリーンとして、スクリーン基板上に同一形状の凹状のマイクロレンズを多数規則的に配置したものも知られている。
【特許文献１】特開２００６−２１５１６２号公報
【発明の開示】
【発明が解決しようとする課題】
【０００３】
しかしながら、前記したように同一形状のマイクロレンズを多数規則的に配置したスクリーンでは、以下に述べる改善すべき課題がある。
従来のマイクロレンズスクリーンでは、ホワイトマットと呼ばれるマットスクリーンと同等の明るさを確保するため、レンズ間のピッチを狭めることがなされている。ところが、このようにレンズ間のピッチを狭めて例えば０．２ｍｍ未満にすると、シンチレーション（又はスペックトル）と呼ばれる、スクリーンから浮いて見えるギラツキからなる干渉縞が発生してしまう。
【０００４】
一方、このようなシンチレーションを無くすためには、レンズ間のピッチを広げることが効果的である。例えば、レンズ間のピッチを０．２ｍｍ以上に広げれば、人間の目にはほとんどシンチレーションが知覚できなくなり、したがってシンチレーションが視認されにくくなる。しかしながら、このシンチレーションと明るさとはトレードオフの関係にあり、シンチレーションを無くすべくレンズ間のピッチを０．２ｍｍ以上に広げると、良好な明るさの投影画像が得られず、スクリーンが暗くなってしまう。
【０００５】
また、マイクロレンズレンズの径を大きくしてレンズ間のピッチを広げることも考えられる。しかし、その場合には単位面積あたりに必要な個数のマイクロレンズが作り込めなくなるため、解像度の悪化とモアレの発生を起こしてしまう。したがって、このような手法にも限界があり、レンズ径としては例えば０．５ｍｍ以下にせざるを得ないのが現状である。
【０００６】
本発明は前記課題を解決するためになされたもので、その目的とするところは、良好な明るさを有し、解像度の悪化やモアレの発生がなく、しかもシンチレージョンの発生を緩和した、優れたスクリーンを提供することにある。
【課題を解決するための手段】
【０００７】
本発明者は、前記目的を達成すべく鋭意研究を重ねた結果、以下の知見を得た。
シンチレーションが起こる原因は、光の干渉、すなわち光波と光波とが互いに干渉し合うことが、その一因であると考えられる。具体的には、同一形状の隣り合うマイクロレンズ間で反射した光どうしが、同じ光路長を有し、したがって同じ位相を有していることにより、干渉し合い、シンチレーションを起こすと考えられる。
【０００８】
すなわち、本発明のスクリーンは、スクリーン基板上の前面側に、凹形状で設計上半球面のマイクロレンズを複数配置してなるスクリーンにおいて、
前記マイクロレンズは、主光線の方向に対応して定まる前記スクリーン基板上の第１方向に沿って配列されてレンズ列を形成するとともに、該レンズ列において隣り合うマイクロレンズどうしが、異なるレンズ曲率半径で形成されていることを特徴としている。
【０００９】
また、本発明の別のスクリーンは、スクリーン基板上の前面側に、凸形状で設計上半球面のマイクロレンズを複数配置してなるスクリーンにおいて、
前記マイクロレンズは、主光線の方向に対応して定まる前記スクリーン基板上の第１方向に沿って配列されてレンズ列を形成するとともに、該レンズ列において隣り合うマイクロレンズどうしが、異なるレンズ曲率半径で形成されていることを特徴としている。
【００１０】
なお、前記の設計上半球面とは、設計的に半球面となるよう形成されたマイクロレンズであれば、例えば隣り合うマイクロレンズどうしが一部重なることで、見掛け上完全な半球面となっていないものでも、本発明におけるマイクロレンズに含まれることを意味している。
また、前記主光線は、スクリーン上において着目する領域に入射する光束を考えた場合のものであり、通常は、スクリーン上の中央領域に入射する光束に関するものとされる。ただし、スクリーン上の所望領域又は全域に入射する光束に関するものとすることもできる。
【００１１】
このようなスクリーンによれば、レンズ列において隣り合うマイクロレンズどうしが異なるレンズ曲率半径で形成されているので、これら隣り合うマイクロレンズで反射した光が互いに異なる光路長を有するようになり、したがって異なる位相となる。よって、これら光どうしが互いに干渉し合うことが少なくなり、シンチレーションの発生が緩和される。
また、このようにシンチレーションの発生が緩和されるため、レンズ間のピッチを狭めることが可能になり、これによって良好な明るさが得られるようになる。さらに、レンズ径についても例えば０．５ｍｍ以下にすることができ、したがって解像度の悪化やモアレの発生がなくなる。
【００１２】
また、前記スクリーンにおいては、同一の前記レンズ列を構成するマイクロレンズの曲率半径の中心が、同一平面上に位置するよう設計されているのが好ましい。
このようにすれば、隣り合うマイクロレンズで反射した光の光路長が、より確実に異なるようになり、したがってシンチレーションの発生がより十分に緩和される。
【００１３】
また、前記スクリーンにおいて、同一の前記レンズ列を構成するマイクロレンズは、異なるレンズ曲率半径で形成された少なくとも３種からなっているのが好ましい。
光の干渉は、例えばレンズ間のピッチが狭い場合には、隣り合うレンズ間だけでなく、間に一つ以上のレンズをおいた二つのレンズ間でも起こる可能性がある。
そこで、異なるレンズ曲率半径で形成されたマイクロレンズを少なくとも３種とすることで、このように一つ以上のレンズをおいた二つのレンズ間においても、レンズ曲率半径が異なるようになる確率を高くすることができる。したがって、これらレンズで反射する光どうしが干渉し合うのが抑えられ、シンチレーションの発生が緩和される。
また、このようにマイクロレンズを少なくとも３種とすることで、干渉縞（シンチレーション）の強度が弱くなり、その分鑑賞者に干渉縞（シンチレーション）が視認されにくくなる。
【００１４】
なお、このスクリーンでは、同一の前記レンズ列において、該レンズ列を構成する前記マイクロレンズは、該レンズ列の列方向に沿ってレンズ曲率半径の大きさの順に規則的に配置されているのが好ましい。
このようにすれば、一つのレンズをおいた二つのレンズどうしも、そのレンズ曲率半径が異なるようになる。したがって、これらレンズで反射する光どうしが干渉し合うのが抑えられ、シンチレーションの発生がより十分に緩和される。
【００１５】
また、このスクリーンでは、同一の前記レンズ列において、該レンズ列を構成する前記マイクロレンズのうちの隣り合う二つのマイクロレンズ対のレンズ曲率半径差は、該マイクロレンズ対に隣り合うマイクロレンズ対のレンズ曲率半径差と異なっているのが好ましい。
このようにすれば、間に一つのレンズをおいた二つのレンズで反射する光どうしの干渉がより抑えられ、シンチレーションの発生がより緩和される。
【００１６】
また、前記スクリーンにおいて、前記マイクロレンズは、前記スクリーン基板上の前記第１方向での中心線を対称線として、前記の規則的な配置が線対称になっているのが好ましい。
このようにすれば、スクリーンの中心を見た場合に、前記第１方向において見え方が線対称になり、したがって一方に偏ることがないため、視認し易くなる。
【００１７】
また、前記スクリーンにおいて、前記レンズ列は、前記第１方向と交差する第２方向に複数並列されているのが好ましい。
このようにすれば、スクリーンのほぼ全面において、シンチレーションの発生が緩和されるようになる。
【００１８】
なお、このスクリーンにおいて、前記複数のレンズ列のうちの隣り合うレンズ列間では、前記第２方向において対応するマイクロレンズどうしが不規則に配列されるように、構成されているのが好ましい。
このようにすれば、第２方向において隣り合うレンズどうしも、レンズ曲率半径が互いに異なるようになり易いため、これら隣り合うマイクロレンズで反射した光どうしが干渉し合うことによる、シンチレーションの発生が緩和される。
【００１９】
また、このスクリーンにおいて、前記マイクロレンズの少なくとも一部は、前記レンズ列内において隣り合うものどうしが一部重なって形成されているのが好ましい。
このようにすれば、マイクロレンズ間のピッチを狭めることができ、したがってより良好な明るさが得られるようになる。
【００２０】
また、このスクリーンにおいて、前記第１方向は主光線に対して略水平方向であり、前記レンズ列は、略水平方向に沿った円弧状の配列であってもよい。
このようにすれば、特にスクリーンの中央部前方で下方にプロジェクター（投影装置）を配した際、レンズ列を構成する個々のマイクロレンズを、プロジェクターに対して等距離に配置することができる。したがって、スクリーンの中央部と外周部との間に明るさムラが生じるのを防止することができる。
【００２１】
また、このスクリーンにおいて、前記マイクロレンズは、光反射面と光吸収面とを有していることが好ましい。
このようにすれば、プロジェクター（投影装置）からの主光線を選択的に光反射面で受光し反射することが可能になり、また、照明光等の外光を選択的に光吸収面で受光することが可能になる。したがって、高コントラス化が可能になる。
【発明を実施するための最良の形態】
【００２２】
以下、図面を参照して本発明を詳しく説明する。
図１（ａ）〜（ｃ）は本発明のスクリーンの一実施形態を示す図であり、図１（ａ）はスクリーンの外観正面図、図１（ｂ）は図１（ａ）のＡ部を拡大した正面図、図１（ｃ）は図１（ｂ）のＢ―Ｂ線矢視断面図である。図１（ａ）〜（ｃ）において符号１は反射型のスクリーンであり、このスクリーン１は、その正面側前方の斜め下に配置された近接投射型のプロジェクター２からの投射光ＰＬを、正面側により多く反射するための、横長矩形状のものである。
【００２３】
このスクリーン１は、スクリーン基板３上の前面側に、図１（ｂ）、（ｃ）に示すように、凹形状で設計上半球面のマイクロレンズ４を複数配置してなるものである。なお、図１（ｂ）、（ｃ）では、理解を容易にするため、マイクロレンズ４の開口を円形にし、かつ、その側断面を半円形にして、このマイクロレンズ４を完全な半球面の凹面として示している。しかし、本発明のマイクロレンズは、このような完全な半球面だけではなく、設計上の半球面であってもよい。具体的には、隣り合うマイクロレンズどうしが一部重なることで、見掛け上完全な半球面となっていないものでも、本発明ではこれらを設計上の半球面として、本発明におけるマイクロレンズに含まれるものとしている。
【００２４】
このようなマイクロレンズ４は、前述したプロジェクター２の主光線の方向に対応して定まる、前記スクリーン基板３上の第１方向に沿って多数配列され、これによって図１（ａ）に示すようにレンズ列５を形成している。ここで、図１（ａ）のＣ−Ｃ線矢視断面図である図２に示すように、投射光ＰＬの主光線ＸＬに垂直な面ＰＳとスクリーン基板３上のスクリーン面ＳＳとの交線の方向、すなわち水平方向（図１（ａ）におけるＸ方向）が、本発明における第１方向となっている。したがって、レンズ列５はこの第１方向（Ｘ方向）に沿って形成されている。
【００２５】
ただし、本実施形態では、図１（ａ）、（ｃ）に示したように前記レンズ列５は水平方向（Ｘ方向）に沿った円弧状の配列、すなわち水平方向に対応するθ方向（＋θ方向、−θ方向）に延びたものとなっている。このようにレンズ列５を円弧状にしていることにより、このレンズ列５の延びるθ方向を、プロジェクター２から放射状に射出される投射光の主光線ＸＬに対して、より正確に対応させることができるようになっている。したがって、レンズ列５を構成する個々のマイクロレンズ４を、プロジェクター２に対して等距離に配置することができ、これによってスクリーン１の中央部と外周部との間に明るさムラが生じるのを防止することができる。
【００２６】
また、このようなレンズ列５（同一のレンズ列５）を構成するマイクロレンズ４は、図１（ｃ）に示したように、隣り合うマイクロレンズ４どうしが異なるレンズ曲率半径で形成されている。本実施形態では、このように異なるレンズ曲率半径のマイクロレンズ４が、大（４ａ）、中（４ｂ）、小（４ｃ）の３種類の曲率のものからなっている。そして、このようなレンズ曲率半径の異なる３種類のマイクロレンズ４ａ、４ｂ、４ｃは、本実施形態ではレンズ列５の列方向（θ方向）に沿って、大きさの順に規則的に配置されている。
【００２７】
また、本実施形態では、前記第１方向での中心線、すなわち図１（ａ）のＣ−Ｃ線で示すスクリーン１の中心線を対称線として、前記の規則的配置が線対称に構成されている。例えば、図３に示すように前記対称線（Ｃ−Ｃ線）に対応する位置に、レンズ曲率半径が小のマイクロレンズ４ｃが配置され、その＋θ方向に沿って、レンズ曲率半径が中のマイクロレンズ４ｂ、レンズ曲率半径が大のマイクロレンズ４ａがこの順に配置されている。そして、このような小（４ｃ）、中（４ｂ）、大（４ａ）の順が繰り返されることで、レンズ列５はスクリーン１の中心線から＋θ方向に沿って、マイクロレンズ４が小→中→大の配列となるように規則的に配置されている。また、−θ方向においては、前記対称線（Ｃ−Ｃ線）に対応する位置の小のマイクロレンズ４ｃに対して、−θ方向に沿って中のマイクロレンズ４ｂ、大のマイクロレンズ４ｃがこの順に配置されている。そして、さらにこのような小（４ｃ）、中（４ｂ）、大（４ａ）の順が繰り返されることで、このレンズ列５はスクリーン１の中心線から−θ方向に沿っても、マイクロレンズ４が小→中→大の配列となるように規則的に配置されている。
【００２８】
したがって、このレンズ列５は、スクリーン１の中心線を対称線として、小→中→大の規則的な配置が、線対称に構成されている。
なお、このような規則的な配置であれば、逆に大→中→小となるような配置であってもよい。また、前記の対称線（Ｃ−Ｃ線）に対応する位置に配置されるマイクロレンズ４が、中のレンズ曲率半径を有するマイクロレンズ４ｂであっても、大のレンズ曲率半径を有するマイクロレンズ４ａであってもよい。
【００２９】
ここで、本実施形態では、図１（ｃ）に示した小のマイクロレンズ４ｃのレンズ曲率半径が１７０μｍ、中のマイクロレンズ４ｂのレンズ曲率半径が１８０μｍ、大のマイクロレンズ４ａのレンズ曲率半径が１８５μｍとなっている。したがって、同一のレンズ列５において隣り合う小のマイクロレンズ４ｃと中のマイクロレンズ４ｂとからなるレンズ対のレンズ曲率半径差は、１０μｍとなる。また、該マイクロレンズ対に隣り合うマイクロレンズ対、すなわち中のマイクロレンズ４ｂと大のマイクロレンズ４ａとからなるレンズ対のレンズ曲率半径差は、５μｍとなる。さらに、これに隣り合う大のマイクロレンズ４ａと小のマイクロレンズ４ｃとからなるレンズ対のレンズ曲率半径差は、１５μｍとなる。このように本実施形態では、隣り合うマイクロレンズ対は、そのマイクロレンズ間のレンズ曲率半径差が異なって形成されている。
【００３０】
また、レンズ列５を構成するマイクロレンズ４（４ａ、４ｂ、４ｃ）は、図１（ｃ）や図２に示したように、そのレンズ曲率半径の中心Ｏが、全て同一平面上に位置するように形成されている。この同一平面は、基本的にはスクリーン基板３の前面、すなわちスクリーン１のマイクロレンズ４形成側の表面に一致している。ただし、マイクロレンズ４の形成に伴い、スクリーン基板３の表面と得られるスクリーン１の表面とが一致しなくなることもある。したがってその場合には、レンズ曲率半径の中心Ｏが配置される平面が、スクリーン１に存在せず、その外方に設計上の平面として存在することになる。
【００３１】
なお、マイクロレンズ４間のピッチ、すなわち前記中心Ｏ間の距離Δｘについては、スクリーン１上でのマイクロレンズ４の位置に応じて規則的に変化するように設計されている。具体的には、スクリーン１の下側（プロジェクター２側）ではΔｘは小さく、上側ではΔｘは大きくなるように設計され、形成されている。このように形成されることにより、広い視野角が確保されるようになっている。
【００３２】
また、このようなマイクロレンズ４からなるレンズ列５は、本実施形態では図１（ａ）に示したように、前記第１方向と交差する第２方向に複数並列されている。ここで、本実施形態では第１方向が水平方向（Ｘ方向）となっており、これに交差する第２方向としては、例えば第１方向に直交する方向、すなわち鉛直方向（Ｙ方向）になる。ただし、前述したように本実施形態では、レンズ列５はＸ方向に沿ったθ方向に延びて形成されており、したがって複数のレンズ列５は、全て同じθ方向に延びて形成配置されている。つまり、レンズ列５は全て同心円の円弧状に並列（配列）したものとなっている。そして、レンズ列５はθ方向に延びていることから、レンズ列５の並列方向となる第２方向は、本実施形態ではθ方向と直交する方向、つまり前記同心円の半径方向になっている。
【００３３】
このように並列させられた複数のレンズ列５において、図１（ｂ）に示したように第２方向（半径方向）にて隣り合うレンズ列５、５どうしは、この第２方向にて対応するマイクロレンズ４、４どうしが不規則に配列されるよう、構成されている。したがって、この第２方向において隣り合うレンズどうしも、それぞれのレンズ曲率半径が、互いに異なるように配置される確率が高くなっている。
【００３４】
ここで、第２方向に隣り合うレンズ列５、５間は、図１（ｃ）では分かり易いように便宜上重ならないように書いたが、本実施形態では一部を除いて重なり平坦部はほぼ露出しない構成になっている。また、これらレンズ列５、５間のピッチ、すなわち前記第２方向（半径方向）における前記中心Ｏ間の距離Δｒについても、前記したΔｘと同様に、スクリーン１上でのレンズ列５の位置に応じて規則的に変化するように設計されている。具体的には、スクリーン１の下側（プロジェクター２側）ではΔｒは小さく、上側ではΔｒは大きくなるように設計され、形成されている。このように形成されることにより、広い視野角が確保されるようになっている。
【００３５】
なお、前記したようにマイクロレンズ４、４間のピッチΔｘは、スクリーン１上でのマイクロレンズ４の位置に応じて変化しており、特にスクリーン１の下側（プロジェクター２側）ではΔｘが小さくなっている。したがって、図示しないものの、スクリーン１の下側のレンズ列５では、このレンズ列５内において隣り合うものどうしが、一部重なって形成されている。このように重なって形成されたマイクロレンズ４、４は、前述したように見掛け上完全な半球面にはなっておらず、設計上半球面を有したものとなっている。そこで、本発明では、このように見掛け上不完全な半球面からなるマイクロレンズ４については、そのレンズ曲率半径の中心Ｏを、設計上の半球面の中心Ｏによって規定している。
【００３６】
また、このようなマイクロレンズ４には、図２に示したようにそのレンズ面となる凹面に、それぞれ光反射面ＲＳと光吸収面ＡＳとが形成されている。光吸収面ＡＳは、例えば光吸収性の物質が表面にコートされたことで形成されている。ただし、スクリーン基板３が透光性の樹脂で形成されている場合などでは、特にコートを行うことなく、光を透過させることにより、見掛け上光を吸収する光吸収面として機能させるようにしてもよい。
【００３７】
光反射面ＲＳは、蒸着法等の気相法や吹付法等の液相法により、例えばＡｌ（アルミニウム）がコートされたことで形成されたものである。ここで、前記したように投射光ＰＬの主光線ＸＬの方向は下方からであるのに対し、照明器具等による外光の主方向は、スクリーンＳＳの法線に関して主光線ＸＬと略線対称の方向となる、上方からのものとなっている。したがって、凹面からなるマイクロレンズ４において、その光反射面ＲＳは上方側に設けられ、光吸収面ＡＳは下方側に設けられている。これにより、投射すべき下方からの投射光ＰＬを効率良く反射し、一方、反射させたくない上方からの照明器具等による外光を、スクリーン１において吸収（または透過）するようにしている。
【００３８】
なお、前記マイクロレンズ４においては、前記のＡｌ等のコートはレンズ曲率半径に比べて格段に薄いことから、このようなコート厚は、実質的にレンズ曲率半径に影響しないものとなっている。
【００３９】
ここで、前記スクリーン１の製造方法としては、従来公知の種々の手法が用いられる。具体的には、特に凹形状のマイクロレンズ４の形成方法として、該マイクロレンズ４の凹形状に対応した凸形状を有する金型を用い、樹脂等の原材料をプレス加工する方法や、紫外線硬化樹脂を用いて転写する方法などが、採用可能である。
【００４０】
次に、スクリーン１の使用例について、図４を参照して説明する。
図４に示すように本実施形態のスクリーン１は、その水平方向（第１方向）における中央部でかつその前方の斜め下に設置された近接投射型のプロジェクター２からの投射光ＰＬを、正面側に反射するよう配置されている。すなわち、鑑賞者（図示せず）は基本的にはスクリーン１の前方にいることが前提になっている。
【００４１】
プロジェクター２は、プロジェクター本体５０と、投射レンズ２０と、反射ミラーＲＭとを備えて構成されている。また、このプロジェクター２の各機構は、筐体ＳＣ内に収容されている。スクリーン１及びプロジェクター２の設置環境については、室内に天吊りされた照明装置２００により、上方からの外光ＯＬによる照明がなされており、プロジェクター２は、前述したようにスクリーン１の下方から投射を行うものとなっている。
【００４２】
プロジェクター２の制御によって形成された画像光は、投射レンズ２０から射出され、さらに反射ミラーＲＭでの反射により、所望の角度が付けられた状態でプロジェクター２からの投射光ＰＬとして射出される。したがって、この場合、プロジャクター２はスクリーン１の法線に対して投射光ＰＬの主光線ＸＬが傾いた斜め投射が行われる。スクリーン１に投射された投射光ＰＬは、前述したように各マイクロレンズ４によって反射される。
【００４３】
その際、前述したようにスクリーン１の位置においてΔｘやΔｒを変化させているので、広い視野角が確保されている。また、上方からの外光ＯＬは、スクリーン１上において吸収されるため、外光ＯＬによって明るく照明された室内等にあっても、高いコントラストの投影画像が得られる。
【００４４】
また、本発明のスクリーン１にあっては、同じレンズ列５において隣り合うマイクロレンズ４、４どうしを、異なるレンズ曲率半径で形成しているので、シンチレーションの発生を緩和することができる。
すなわち、図５（ａ）に示したように従来のスクリーンでは、隣り合うマイクロレンズ８、８は同一形状であり、したがって同じレンズ曲率半径を有しているので、プロジェクター２からの投射光ＸＬは同じ光路長となって鑑賞者Ｋに到達するようになる。その結果、これらマイクロレンズ８、８で反射した光は、共に同じ位相となることにより、互いに干渉し合うことによってシンチレーションを起こしてしまう。
【００４５】
これに対して本発明のスクリーン１では、図５（ｂ）に示したように隣り合うマイクロレンズ４ａ、４ｂ（４ｂ、４ｃ）が異なるレンズ曲率半径を有しているため、これらマイクロレンズ４ａ、４ｂ（４ｂ、４ｃ）間にはレンズ曲率半径差ｒ１（ｒ２）に対応する光路差が生じる。その結果、反射した光の光路ｄ１、ｄ２、ｄ３にはそれぞれの間に光路差Δｄが生じるようになる。よって、これらマイクロレンズ４ａ、４ｂで反射した光は互いに異なる位相となり、互いに干渉し合うことが少なくなる。したがって、本発明のスクリーン１では従来に比べシンチレーションの発生が緩和され、高品質な投影画像が得られるようになる。
【００４６】
また、本実施形態では、同一のレンズ列５を構成するマイクロレンズ４を、大、中、小の３種類のレンズ曲率半径のもので構成しているので、隣り合うマイクロレンズ４、４間だけでなく、間に一つのマイクロレンズをおいた二つのマイクロレンズ４、４間においても異なる位相にし、これによって干渉を低減してシンチレーションの発生を緩和することができる。特に、これら３種類のマイクロレンズ４ａ、４ｂ、４ｃを同じレンズ列５において規則的に配置しているので、シンチレーションの発生をより十分に緩和することができる。
また、このようにマイクロレンズ４を３種にしたことで、干渉縞（シンチレーション）の強度を弱くし、その分鑑賞者に干渉縞（シンチレーション）を視認しにくくすることができる。
【００４７】
さらに、図５（ｂ）に示したように同一のレンズ列５において隣り合うマイクロレンズ対のレンズ曲率半径差ｒ１と、さらにこれに隣り合うマイクロレンズ対のレンズ曲率半径差ｒ２とを異ならせているので、間に一つのマイクロレンズ４ｂをおいた二つのマイクロレンズ４ａ、４ｃで反射する光どうしの干渉をより十分に抑え、シンチレーションの発生をより緩和することができる。
【００４８】
また、レンズ列５を、第１方向と交差する第２方向に複数並列しているので、スクリーン１の全面において、シンチレーションの発生を緩和することができる。さらに、これら複数のレンズ列５のうちの隣り合うレンズ列５、５間においては、図１（ｂ）に示したように第２方向において対応するマイクロレンズ４、４どうしが不規則に配列するようにしているので、このような隣り合うマイクロレンズ４、４で反射した光どうしが干渉し合うこともなく、したがってシンチレーションの発生を緩和することができる。
【００４９】
また、マイクロレンズ４を、図３に示したように第１方向での中心線を対称線として線対称に配置しているので、スクリーン１の中心を見た際、その水平方向（左右方向）において見え方が線対称になるため、視認し易くなる。
また、このようにシンチレーションの発生が緩和されるため、マイクロレンズ４、４間のピッチを狭めることが可能になり、これによって良好な明るさが得られるようになる。さらに、レンズ径についても例えば０．５ｍｍ以下にすることができ、したがって解像度の悪化やモアレの発生をなくすことができる。
【００５０】
なお、本発明は前記実施形態に限定されることなく、本発明の要旨を逸脱しない範囲で種々の変更が可能である。
例えば、前記実施形態ではレンズ曲率半径の異なるマイクロレンズを、同一のレンズ列５において３種類備えるようにしたが、２種類であってもよく、４種類以上であってもよい。
また、レンズ列５を、図１（ａ）に示したように水平方向（第１方向）に沿ったθ方向に延びるよう、マイクロレンズ４を円弧状に配列したが、図６に示すようにレンズ列５を水平方向（第１方向）に沿った直線状に形成してもよい。さらには、円弧状のレンズ列と直線状のレンズ列とを、共に備えて構成してもよい。
【００５１】
また、前記実施形態では、本発明のマイクロレンズを凹形状のものとしたが、図７に示すように凸形状で設計上半球面のマイクロレンズ９としてもよい。ただし、その場合には、図７に示したようにそのレンズ面となる凸面の下方側に光反射面ＲＳを設け、上方側に光吸収面ＡＳを設けるようにする。このように凸形状にした場合にも、レンズ列において隣り合うマイクロレンズ９、９どうしを異なるレンズ曲率半径で形成することで、これら隣り合うマイクロレンズ９、９で反射した光を異なる位相にし、これによってこれら光どうしが互いに干渉し合うことを少なくし、シンチレーションの発生を緩和することができる。
【００５２】
また、前記実施形態では、プロジェクター２として近接投射型のプロジェクターを用いる場合について説明したが、本発明のスクリーンが適用されるプロジェクターとしては、近接投射型のプロジェクターに限定されることなく、従来公知の種々のものが使用可能である。
【図面の簡単な説明】
【００５３】
【図１】（ａ）〜（ｃ）は本発明のスクリーンの一実施形態を示す図である。
【図２】図１（ａ）のＣ−Ｃ矢視断面図である。
【図３】マイクロレンズの規則的配置を示す模式図である。
【図４】スクリーンの使用例を示す図である。
【図５】（ａ）、（ｂ）はマイクロレンズで反射した光の光路を示す図である。
【図６】レンズ列の変形例を示す模式図である。
【図７】マイクロレンズの他の例を示す側断面図である。
【符号の説明】
【００５４】
１…スクリーン、２…プロジェクター、３…スクリーン基板、４、４ａ、４ｂ、４ｃ…マイクロレンズ、５…レンズ列、６…平坦部
【図１】
2010151902.tif 000003
【図２】
2010151902.tif 000004
【図３】
2010151902.tif 000005
【図４】
2010151902.tif 000006
【図５】
2010151902.tif 000007
【図６】
2010151902.tif 000008
【図７】
2010151902.tif 000009